(57)【要約】第１の公衆網（６）との無線通信において少なくとも第１の電気通信装置（５）を用いた電気通信方法であって、第１の電気通信装置は第２の電気通信装置（２，４）とローカルに通信し、一方で第２の電気通信装置（２，４）は、第１及び第２の電気通信装置が構内通信網（１）の一部となる形で第２の公衆網（３）と通信することができる。第１の電気通信装置は第２の電気通信装置により制御され、発呼は構内通信網１から第１の電気通信装置を介して第１の公衆網に転送されるか、又は第２の公衆網に転送される。
2006523401.tif 000002
【特許請求の範囲】
【請求項１】
構内通信網（１）に属する第１及び第２の電気通信装置において、第１の無線通信プロトコルに従って第１の公衆網（６）と通信するための少なくとも１つの第１の電気通信装置（５）を第２の公衆網（３）と通信するための少なくとも１つの第２の電気通信装置（２，４）とローカルに通信させるようにした電気通信方法であって、
第１の電気通信装置（５）を第２の電気通信装置（２，４）から制御し、構内通信網（１）からの発呼を第１の電気通信装置（５）を介して第１の公衆網（６）に送るか又は第２の公衆網（３）に送ることを特徴とする電気通信方法。
【請求項２】
第１の公衆網（６）を介した発呼の転送か第２の公衆網（３）を介した発呼の転送のいずれかをユーザに選択させる、請求項１記載の方法。
【請求項３】
第１の公衆網（６）を介した発呼の転送か第２の公衆網（３）を介した発呼の転送のいずれかを自動的に選択する、請求項１記載の方法。
【請求項４】
第２の公衆網（３）との通信が利用できない場合を除き、第２の公衆網を介した発呼の転送が自動的に選択されるようにする、請求項３記載の方法。
【請求項５】
前記自動選択の確認をユーザに要求する、請求項３記載の方法。
【請求項６】
構内通信網（１）は、第２の公衆網（３）に接続された固定基地局（２）と、第２の無線通信プロトコルに従って前記基地局（２）と通信する少なくとも１つの構内通信網端末局（４）とを有する構内無線網であり、第２の電気通信装置は前記基地局（２）又は構内通信網端末局（４）のいずれかである、請求項１から５のいずれか１項記載の方法。
【請求項７】
第１の電気通信装置（５）を前記第２の無線通信プロトコルに従って第２の電気通信装置（２，４）と通信させる、請求項６記載の方法。
【請求項８】
前記第２の無線通信プロトコルは“ＢＬＵＥＴＯＯＴＨ”、“ＷＩＦＩ”、及び“ＤＥＣＴ”から選ばれる、請求項６又は７記載の方法。
【請求項９】
第１の公衆網（６）はセル方式無線通信網であり、第２の公衆網（３）は交換網である、請求項１から８のいずれか１項記載の方法。
【請求項１０】
第１の電気通信装置（５）が第２の電気通信装置（２，４）に接続されているか否かを判定する識別ステップと、通常は入呼が第２の公衆網（３）を介して構内交換網（１）にルーティングされるべきところを、第２の公衆網（３）を介してのこの入呼（３）の受信に前記構内通信網を利用することができない場合に、第１の電気通信装置（６）が第２の電気通信装置（２，４）に接続されていると判定されると、前記入呼を第１の電気通信装置（５）にルーティングするステップを有する、請求項１から９のいずれか１項記載の方法。
【請求項１１】
第１の電気通信装置（５）が第２の電気通信装置（２，４）に接続されているか否かを判定する識別ステップと、第１の電気通信装置（６）が第２の電気通信装置（２，４）に接続されていると判定されると、通常は第１の電気通信装置（５）との接続を確立すべきものである入呼を第２の公衆網（３）を介して構内通信網（１）にルーティングするステップを有する、請求項１から１０のいずれか１項記載の方法。
【請求項１２】
少なくとも第１の電気通信装置（５）に電話帳を備え付け、第２の電気通信装置に接続（２，４）によりこの電話帳にアクセスできるようにする、請求項１から１１のいずれか１項記載の方法。
【請求項１３】
少なくとも第１及び第２の電気通信装置（５，２；５，４）を有し、第１の電気通信装置（５）は第１の無線通信プロトコルに従って第１の公衆網（６）と無線通信するように構成されており、また第１の電気通信装置（５）は少なくとも第２の公衆網（３）と通信するための第２の電気通信装置（２，４）と通信するように構成されており、したがって、第１及び第２の電気通信装置が構内通信網に属している形式の電気通信システムにおいて、
第２の電気通信装置（２，４）は第１の電気通信装置（５）を制御し、構内通信網（１）からの発呼を第１の電気通信装置（５）を介して第１の公衆網（６）に送るか又は第２の公衆網（３）に送るように構成されている、ことを特徴とする電気通信システム。
【請求項１４】
第２の電気通信装置（２，４）は、第１の公衆網（６）を介した発呼の転送か第２の公衆網（３）を介した発呼の転送のいずれかを選択するようユーザに要求するように構成されている、請求項１３記載の電気通信システム。
【請求項１５】
第２の電気通信装置（２，４）は、第１の公衆網（６）を介した発呼の転送か第２の公衆網（３）を介した発呼の転送のいずれかを自動的に選択するように構成されている、請求項１３記載の電気通信システム。
【請求項１６】
第２の電気通信装置（２，４）は、第２の公衆網（３）との通信が利用できない場合を除き、第２の公衆網を介した発呼の転送が自動的に選択されるようにするように構成されている、請求項１５記載の電気通信システム。
【請求項１７】
第２の電気通信装置（２，４）は前記自動選択の確認をユーザに要求するように構成されている、請求項１５又は１６記載の電気通信システム。
【請求項１８】
構内通信網（１）は、第２の公衆網（３）に接続された固定基地局（２）と、第２の無線通信プロトコルに従って前記基地局（２）と通信する少なくとも１つの構内通信網端末局（４）とを有する構内無線網であり、第２の電気通信装置は前記基地局（２）又は構内通信網端末局（４）のいずれかである、請求項１３から１７のいずれか１項記載の電気通信システム。
【請求項１９】
第１の電気通信装置（５）は第２の無線通信プロトコルに従って第２の電気通信装置（２，４）と通信するように構成されている、請求項１８記載の電気通信システム。
【請求項２０】
前記第２の無線通信プロトコルは“ＢＬＵＥＴＯＯＴＨ”、“ＷＩＦＩ”、及び“ＤＥＣＴ”から選ばれる、請求項１８又は１９記載の電気通信システム。
【請求項２１】
第１の公衆網（６）はセル方式無線通信網であり、第２の公衆網（３）は交換網である、請求項１３から２０のいずれか１項記載の電気通信システム。
【発明の詳細な説明】
【技術分野】
【０００１】
本発明は電気通信の方法及びシステムに関する。
【０００２】
より詳細には、本発明は（必要ならば他の電気通信装置も含みうる）構内通信網に属する第１及び第２の電気通信装置において、第１の無線通信プロトコルに従って第１の公衆網と通信するための少なくとも１つの第１の電気通信装置を第２の公衆網と通信するための少なくとも１つの第２の電気通信装置とローカルに通信させるようにした電気通信方法に関する。
【０００３】
一般に、第１の電気通信装置と第２の電気通信装置との間の構内通信は有線接続もしくは接触接続、又は無線接続もしくは他の無接触接続により実現されうることに注意されたい。第２の電気通信装置は、例えば、“ＢＬＵＥＴＯＯＴＨ”、“ＷＩＦＩ”、もしくは“ＤＥＣＴ”ネットワークのような構内無線通信網の中央基地局であってもよいし、又は、前記第２の電気通信装置はこのような構内網に属する移動端末局、もしくは単に第２の公衆網に接続された固定電話、もしくは第２の公衆網に直接ないし間接に接続された他の任意の電気通信装置とすることさえできる。第２の公衆網は公衆交換電話網、あるいはその他のものであってよい。
【０００４】
文献ＥＰ−Ａ−１  ２５７  １３６には、構内電気通信網に移動無線通信端末局を組み込むことのできるこの種の方法の一例が記載されている。
【０００５】
本発明の特定の目的はより多くの機能をユーザに提供すべく上記のタイプの方法を改善することである。
【０００６】
この目的のために、本発明によれば、問題となっているタイプの方法において、第１の電気通信装置を第２の電気通信装置から制御し、構内通信網からの発呼を第１の電気通信装置を介して第１の公衆網に送るか又は第２の公衆網に送る。
【０００７】
これらの構成のおかげで、ユーザは補助的な電話回線（又は、第２の電気通信装置に複数の第１の電気通信装置が接続されている場合には、複数の補助的な回線）の利点を享受することができる。
【０００８】
本発明による方法のさまざまな実施形態において、場合によっては、その他に以下の構成のうちの或るもの及び／又は他のものに頼ることもできる。
【０００９】
−  第１の公衆網を介した発呼の転送か第２の公衆網を介した発呼の転送のいずれかを選択するようユーザに要求する、
−  第１の公衆網を介した発呼の転送か第２の公衆網を介した発呼の転送のいずれかを自動的に選択する、
−  第２の公衆網との通信が利用できない場合を除き、第２の公衆網を介した発呼の転送が自動的に選択されるようにする、
−  自動選択の確認をユーザに要求する、
−  構内通信網は、第２の公衆網に接続された固定基地局と、第２の無線通信プロトコルに従って前記基地局と通信する少なくとも１つの構内通信網端末局とを有する構内無線網であり、第２の電気通信装置は前記基地局又は構内通信網端末局のいずれかである、
−  第１の電気通信装置を前記第２の無線通信プロトコルに従って第２の電気通信装置と通信させる、
−  前記第２の無線通信プロトコルは“ＢＬＵＥＴＯＯＴＨ”、“ＷＩＦＩ”、及び“ＤＥＣＴ”から選ばれる、
−  第１の公衆網はセル方式無線通信網であり、第２の公衆網は交換電話網である、
−  第１の電気通信装置が第２の電気通信装置に接続されているか否かを判定する識別ステップと、通常は入呼が第２の公衆網を介して構内交換網にルーティングされるべきところを、第２の公衆網を介してのこの入呼の受信に前記構内通信網を利用することができない場合に、第１の電気通信装置が第２の電気通信装置に接続されていると判定されると、第１の電気通信装置に前記入呼をルーティングするステップを有する、
−  第１の電気通信装置が第２の電気通信装置に接続されているか否かを判定する識別ステップと、第１の電気通信装置が第２の電気通信装置に接続されていると判定されると、通常は第１の電気通信装置との接続を確立すべきものである入呼を第２の公衆網を介して構内通信網にルーティングするステップを有する（上述のように構内網と第２のネットワークとの間の通信が利用できない場合には、この入呼を第１のネットワークにより再ルーティングすることができる）、
−  少なくとも第１の電気通信装置に電話帳を備え付け、第２の電気通信装置に接続によりこの電話帳にアクセスできるようにする。
【００１０】
さらに、本発明はまた、少なくとも第１及び第２の電気通信装置を有し、第１の電気通信装置は第１の無線通信プロトコルに従って第１の公衆網と無線通信するように構成されており、また第１の電気通信装置は少なくとも、第２の公衆網と通信するための第２の電気通信装置と通信するように構成されており、したがって、第１及び第２の電気通信装置が構内通信網に属しており、第２の電気通信装置は第１の電気通信装置を制御し、構内通信網からの発呼を第１の電気通信装置を介して第１の公衆網に送るか又は第２の公衆網に送るように構成されている、ことを特徴とする電気通信システムも対象としている。
【００１１】
本発明による電気通信システムのさまざまな実施形態において、場合によっては、その他に以下の構成のうちの或るもの及び／又は他のものに頼ることもできる。
【００１２】
−  第２の電気通信装置は、第１の公衆網を介した発呼の転送か第２の公衆網を介した発呼の転送のいずれかを選択するようユーザに要求するように構成されている（この選択は、場合に応じて、この第２の電気通信装置において又は前記第２の電気通信装置と通信する別の装置において行うことができる）、
−  第２の電気通信装置は、第１の公衆網を介した発呼の転送か又は第２の公衆網を介した発呼の転送のいずれかを自動的に選択するように構成されている、
−  第２の電気通信装置は、第２の公衆網との通信が利用できない場合を除き、第２の公衆網を介した発呼の転送が自動的に選択されるようにするように構成されている、
−  第２の電気通信装置は自動選択の確認をユーザに要求するように構成されている、
−  構内通信網は、第２の公衆網に接続された固定基地局と、第２の無線通信プロトコルに従って前記基地局と通信する少なくとも１つの構内通信網端末局とを有する構内無線網であり、第２の電気通信装置は前記基地局又は構内通信網端末局のいずれかである、
−  第１の電気通信装置は前記第２の無線通信プロトコルに従って第２の電気通信装置と通信するように構成されている、
−  前記第２の無線通信プロトコルは“ＢＬＵＥＴＯＯＴＨ”、“ＷＩＦＩ”、及び“ＤＥＣＴ”から選ばれる、
−  第１の公衆網はセル方式無線通信網であり、第２の公衆網は交換電話網である。
【００１３】
本発明の他の特徴及び利点は、添付した図面に関連する１つの例として挙げられた実施形態の以下の非限定的な記述から明らかとなる。
【００１４】
添付図面の図１は本発明の実施形態による電気通信システムの模式図である。
【００１５】
図１に示されている電気通信システムは、
−  例えば公衆交換電話網３（ＰＳＴＮ）又は他の公衆網に接続された（特に基地局２がそれ自体公衆網に接続されたＰＡＢＸに接続されている場合には、この接続は直接的又は間接的であってよい）中央固定局２を含み、かつ構内無線通信プロトコル、特に“ＢＬＵＥＴＯＯＴＨ”プロトコル又は“ＷＩＦＩ”プロトコルもしくは“ＤＥＣＴ”プロトコルに従って少なくとも１つの端末局４とローカルに無線通信する構内無線通信網１と、
−  公衆無線通信網６と通信する、特に、例えば“ＧＳＭ”無線通信プロトコル（又は“ＵＭＴＳ”プロトコルもしくは他の任意のセル方式無線通信プロトコル）に従って動作するセル方式ネットワークと通信する、携帯電話や他のデバイスのような少なくとも１つの無線通信移動端末局５
を含んでいる。
【００１６】
移動端末局５は、上記の構内無線通信プロトコル、例えば“ＢＬＵＥＴＯＯＴＨ”プロトコルに従って、基地局２と通信する。この目的のために、有利には携帯イヤフォン及びマイクロフォン（ヘッドセット）を備えた多くの携帯電話において既に提供されている“ＢＬＵＥＴＯＯＴＨ”接続を使用することができる。この場合、移動端末局５は既に“ＢＬＵＥＴＯＯＴＨ”接続によって制御されるように構成されているため、本発明の実施は非常に安価であり、基地局２の適切なプログラミングを要するだけである。
【００１７】
変更形態では、移動端末局５が基地局２と構内網１の端末局との間の接続とは異なる接続によって基地局２と通信するようにしてよい。例えば、基地局２と移動端末局５との間の接続を“ＢＬＵＥＴＯＯＴＨ”接続とし、一方で基地局２と構内網１の端末局４との間の接続を“ＤＥＣＴ”接続としてよい。より一般的に、移動端末局５と基地局２との間の接続は必要ならば無線接続以外のタイプ、例えば、非常に短距離の非接触誘導もしくは光結合、又は電気的な接触接続もしくは有線接続であってもよい。
【００１８】
さらに、移動端末局５を、特に上記の“ＢＬＵＥＴＯＯＴＨ”接続により、基地局２とではなく構内網の端末局４と通信させてもよい。
【００１９】
基地局２は、必要ならば、例えば移動端末局５とローカルに通信する手段を備えた固定電話回線のような公衆網３に接続された任意の電気通信装置で置き換えてもよい。
【００２０】
本発明によれば、移動端末局５は基地局２の有効範囲内にあるときには“ＢＬＵＥＴＯＯＴＨ”接続手段により基地局と通信し、前記基地局において識別される。そこで基地局２は、例えば、移動端末局５が端末局の予め決められたリストに属しているか否かをチェックすることができる。
【００２１】
一例としては、構内無線通信網１を特に家庭又は専門施設内に設置し、上記の予め決められたリストが例えば上記施設の所有者に属する１つ又は複数のＧＳＭ移動端末局５の識別子を含んでいるようにすることができる。
【００２２】
この接続がいったん確立されれば、基地局２によって移動端末局５を少なくとも制御することができ、また移動端末局５が“ＢＬＵＥＴＯＯＴＨ”規格における“ＣＴＰ”（コードレス電話プロファイル）機能を有していれば、移動端末局５を構内網１に完全に組み込むことが可能である。後者の場合、移動端末局５を構内網１の他のいずれの端末局４と同様に使用することができる。
【００２３】
さらに、すべての場合において、基地局２は端末局５の電話帳にアクセスすることができ、また番号を捜す及び／又はダイヤルするために他の端末局４が端末局５にアクセスできるようにすることができる。より一般的に、端末局４と構内網１の残りの部分との間でデータを共有するようにしてもよい。このデータは端末局５もしくは端末局４のいずれかに又は基地局２に物理的に格納することができる。上記のデータは電話帳（電話番号以外の項目も含むことができる）だけでなく、日記、予定リスト、メモなども含む。
【００２４】
さらに、すべての場合において、上記の構成は、特に、構内通信網１からの（したがって、端末局４又は端末局５から送られた）発呼を選択的に端末局５によりＧＳＭネットワーク６に送るか又は基地局２により交換電話網３に送ることができる。
【００２５】
この選択は必要ならば純粋に手動であってよい。その場合には、ユーザは（とりわけ、どの端末局から呼が発されているかに応じて、端末局４又は端末局５のキーパッドとスクリーンとにより）第１の公衆網（６）を介した発呼の転送か、第２の公衆網（３）を介した発呼の転送を選択するように要求される。
【００２６】
変更形態として、いずれの発呼に関しても、基地局２がＧＳＭネットワーク６を介した発呼の送信か交換電話網３を介した発呼の送信のいずれかを自動選択するようにしてもよい。
【００２７】
例えば、交換電話網３との通信が利用できない（つまり、基地局２の回線が使用中である）場合を除き、基地局２が交換電話網３を介した発呼の送信を自動的に選択するようにしてよい。
【００２８】
有利には、この選択が自動である場合でも、必要ならば、（とりわけ、どの端末局から呼が発されているかに応じて、端末局４又は端末局５のキーパッドとスクリーンとにより）この選択を確認するように基地局２がユーザに要求するようにしてもよい。
【００２９】
このように、構内通信網１のユーザは、外部に呼を送るために、２つの電話回線を使用するのと同等の利益を享受する。
【００３０】
より一般的に、ｎ個の移動端末局５が基地局２に接続されていれば、ユーザはｎ＋１の電話回線を使用するのと同等の利益を享受する。より正確には、ｎが同時に基地局２と通信することのできる装置の数ｐよりも大きければ、ユーザはｎ個のＧＳＭ移動端末局５及び端末局４の間に分布した最大でｐ＋１の電話回線を有する。
【００３１】
さらにより一般的に、本発明は単一の構内網１を備えたＰＡＢＸの機能を低コストでユーザに提供することができる。
【００３２】
さらに、基地局２が移動端末局５を予め決められた端末局のリスト上にある端末局の１つとして認識すると、基地局２は必要ならば交換網３にメッセージを送信し、すると交換網３は移動端末局５が一時的に構内無線通信網１に組み込まれていることをＧＳＭネットワーク６に知らせる。変更形態として、移動端末局５が基地局２に接続されていることを移動端末局５自体が（端末局５に内蔵されているソフトウェアを実行することにより、又は基地局２の命令により同基地局に内蔵されているソフトウェアを実行することにより）ＧＳＭネットワーク６に知らせてもよい。後者の場合、必要ならば、移動端末局５が基地局２に接続されていることをＧＳＭネットワーク６自体が交換網３に知らせるように設計することも可能である。このケースでは、場合によっては基地局２は交換網３に通知をしなくてもよい。
【００３３】
本発明のこの実施形態では、ネットワーク３及び６は、必要ならばこの識別ステップの後に、移動端末局５又は基地局１宛ての入呼に対して特定のルーティングを実行することができる：
−  外部入呼がＧＳＭネットワーク６による移動端末局５との接続を確立することを目的としている（したがって、これは移動端末局５の番号に対する呼である）場合、問題の入呼はＧＳＭネットワーク６により交換網３へ、そして基地局２の番号へ転送され、基地局２が交換網３により最小のコストで移動端末局５のユーザとの通信を確立する、
−  基地局２が交換網３による入呼を受け取ったが、例えば回線が使用中であるために前記基地局が使用できない場合には、交換網３は入呼をＧＳＭネットワーク６に転送し、ＧＳＭネットワーク６が移動端末局５と直接通信に入る。
【００３４】
以上の説明は交換網３とＧＳＭネットワーク６に関連して為されているが、本発明はこれら２つの特定のネットワークのタイプに限定されるものではなく、ＧＳＭネットワーク６は任意の第１の公衆無線通信網により置き換えられてもよく、また交換網３は必要ならば任意の第２の公衆無線通信網により置き換えられてよい。
【図面の簡単な説明】
【００３５】
【図１】本発明の実施形態による電気通信システムの模式図を示す。
【図１】
2006523401.tif 000003
【国際調査報告】
2006523401.tif 000004
2006523401.tif 000005
2006523401.tif 000006
2006523401.tif 000007